(57)【特許請求の範囲】
【請求項１】
容器の口筒部に打栓されるキャップ本体と、キャップ本体にヒンジを介して一体成形された上蓋とからなるヒンジキャップにおいて、
キャップ本体は、係合筒部と、該係合筒部の内側に連設される注出筒とを具え、
係合筒部は、リング状の上壁と、上壁の内周縁下面に垂設された内筒と、上壁の外周縁に垂設された外筒と、該上壁の上部全周にわたって立設され、上蓋と係合する蓋係合部とを具え、
該蓋係合部は、外周面の上端部周縁に膨出部が突設され、上面のヒンジ側に、係合片が立設されており、
上蓋は、頂壁と、頂壁の周縁に垂設され、外周下端の所定の位置にヒンジが連設された外周壁とを具え、
外周壁の内周には、下端部が全周にわたって拡径され、蓋係合部と係合する係合部と、その他の内周面部と、ヒンジ側に該内周面部を切欠き、係合片と係合する切欠け部が設けられた案内部とを具え、
係合部は、蓋係合部の膨出部外周と係合する側周面と、蓋係合部の上面に係合する上面とが形成され、
キャップ本体の係合片と、上蓋の案内部の切欠け部とが係合し、上蓋の開閉を案内するようにしたことを特徴とするヒンジキャップ。
【請求項２】
キャップ本体の係合片は、ヒンジの中心から両側に一定の幅を持って形成され、円弧状の上面と外側面と、両端の外端面とを具え、
上蓋の案内部は、内周面部の切欠け部の両側端に、内方に突出する案内片が設けられ、
切欠け部は、上面と、側周面と、案内片の内方面から連なり、係合片の両端の外端面と当接し、案内する案内面とを具えていることを特徴とする請求項１記載のヒンジキャップ。
【請求項３】
キャップ本体の係合片は、ヒンジの中心から両側に一定の距離離れて位置して立設され、
両方の係合片は、円弧状の上面と外側面と、ヒンジ側の内端面と、反対側の外端面とを具え、
上蓋の案内部は、ヒンジを中心として内方に突設され、両側面がキャップ本体の両方の係合片の内端面の間に挿入される案内突片と、案内突片の両側に、二つの係合片と係合する二つの切欠け部が設けられ、
両方の切欠け部は、上面と、側周面と、案内突片の両側面に連なり、二つの係合片の内端面と当接し、案内する案内面とを具えていることを特徴とする請求項１記載のヒンジキャップ。
【請求項４】
係合筒部の外筒外周には、一定の間隔をおいて外周壁部が連設され、
外周壁部の下端内周と外筒の下端外周とは、ヒンジの反対側に設けられた連結片と、間隔をおいて複数配設された破断可能な弱化片とを介して連設されており、外周壁部上端外周の所定位置にはヒンジが連設されていることを特徴とする請求項１〜３のいずれかに記載のヒンジキャップ。
【発明の詳細な説明】
【技術分野】
【０００１】
本発明は、ヒンジキャップ、とくに上蓋の開閉の際に、上蓋がずれることを防止するようにしたヒンジキャップに関するものである。
【背景技術】
【０００２】
ヒンジキャップにおいて、容器の口筒部に打栓したキャップを使用後に簡単に分別廃棄するようにしたヒンジキャップは、従来より周知である。
【０００３】
キャップを分別するために、上蓋を引っ張り、ヒンジを介してキャップ本体の一部を変形させ、キャップ本体と容器口筒部との係合を弱めて外すようにしたヒンジキャップも従来より知られている（例えば、特許文献１参照）。
【先行技術文献】
【特許文献】
【０００４】
【特許文献１】特開２００８−２１３９２４号公報
【発明の概要】
【発明が解決しようとする課題】
【０００５】
しかしながら、上記特許文献１記載のヒンジキャップでは、キャップ本体（１）の筒状側壁（６）が、容器と係合する内側側壁（６ａ）とヒンジを連設する外側側壁（６ｂ）との間に空隙（２０）のあるものであり、外側側壁の厚さが薄く、閉蓋するために上蓋（２）をヒンジを介して廻動する際に、外側側壁のヒンジに力が集中し、ヒンジの付近を変形させて、上蓋の位置がずれ、閉蓋ができなくなるという問題が生じることがあった。
また、上蓋の位置がずれるため、無理に開閉を続けるとヒンジに力が加わり、ヒンジの材料、形状によっては、ヒンジが切れてしまい、分別廃棄ができなくなるという問題があった。
さらに、上蓋がずれた状態で無理に開閉すると、キャップ本体の注出筒と上蓋の密封リングが当たり、注出筒や密封リングに傷等が生じ、気密性が損なわれることがあった。
【０００６】
本発明は、上記問題を解決することを課題とし、上蓋の開閉時に、上蓋のねじれや、ずれを防止し、正確に案内、閉蓋されるようにしたヒンジキャップを提供することを目的とする。
【課題を解決するための手段】
【０００７】
本発明は、上記の課題を解決するため、ヒンジキャップとして、容器の口筒部に打栓されるキャップ本体と、キャップ本体にヒンジを介して一体成形された上蓋とからなるヒンジキャップにおいて、キャップ本体は、係合筒部と、該係合筒部の内側に連設される注出筒とを具え、係合筒部は、リング状の上壁と、上壁の内周縁下面に垂設された内筒と、上壁の外周縁に垂設された外筒と、該上壁の上部全周にわたって立設され、上蓋と係合する蓋係合部とを具え、該蓋係合部は、外周面の上端部周縁に膨出部が突設され、上面のヒンジ側に、係合片が立設されており、上蓋は、頂壁と、頂壁の周縁に垂設され、外周下端の所定の位置にヒンジが連設された外周壁とを具え、外周壁の内周には、下端部が全周にわたって拡径され、蓋係合部と係合する係合部と、その他の内周面部と、ヒンジ側に該内周面部を切欠き、係合片と係合する切欠け部が設けられた案内部とを具え、係合部は、蓋係合部の膨出部外周と係合する側周面と、蓋係合部の上面に係合する上面とが形成され、キャップ本体の係合片と、上蓋の案内部の切欠け部とが係合し、上蓋の開閉を案内するようにしたことを特徴とする構成を採用する。
【０００８】
キャップ本体の係合片と、上蓋の案内部の実施例として、キャップ本体の係合片は、ヒンジの中心から両側に一定の幅を持って形成され、円弧状の上面と外側面と、両端の外端面とを具え、上蓋の案内部は、内周面部の切欠け部の両側端に、内方に突出する案内片が設けられ、切欠け部は、上面と、側周面と、案内片の内方面から連なり、係合片の両端の外端面と当接し、案内する案内面とを具えていることを特徴とする構成を採用する。
【０００９】
係合片と、上蓋の案内部の別実施例として、キャップ本体の係合片は、ヒンジの中心から両側に一定の距離離れて位置して立設され、両方の係合片は、円弧状の上面と外側面と、ヒンジ側の内端面と、反対側の外端面とを具え、上蓋の案内部は、ヒンジを中心として内方に突設され、両側面がキャップ本体の両方の係合片の内端面の間に挿入される案内突片と、案内突片の両側に、二つの係合片と係合する二つの切欠け部が設けられ、両方の切欠け部は、上面と、側周面と、案内突片の両側面に連なり、二つの係合片の内端面と当接し、案内する案内面とを具えていることを特徴とする構成を採用する。
【００１０】
キャップ本体の別実施例として、係合筒部の外筒外周には、一定の間隔をおいて外周壁部が連設され、外周壁部の下端内周と外筒の下端外周とは、ヒンジの反対側に設けられた連結片と、間隔をおいて複数配設された破断可能な弱化片とを介して連設されており、外周壁部上端外周の所定位置にはヒンジが連設されていることを特徴とする構成を採用する。
【発明の効果】
【００１１】
ヒンジキャップにおいて、キャップ本体の蓋係合部の上面のヒンジ側に立設した係合片と、上蓋の内周面部のヒンジ側に設けた案内部の切り欠け部とが係合して上蓋の開閉を案内することができるので、上蓋の開閉時に、上蓋がずれることを防止でき、上蓋を正確に開閉することができる。
【図面の簡単な説明】
【００１２】
【図１】本発明第１実施例のヒンジキャップの斜視図である。
【図２】開蓋時のヒンジキャップの説明図で、（ａ）は上面図、（ｂ）は断面図である。
【図３】閉蓋時のヒンジ側の要部の説明図で、（ａ）は閉蓋途中、（ｂ）は閉蓋時の側面図である。
【図４】第２実施例のヒンジキャップの斜視図である。
【図５】開蓋時のヒンジキャップの説明図で、（ａ）は上面図、（ｂ）は断面図である。
【図６】閉蓋時のヒンジ側の要部の説明図で、（ａ）は閉蓋途中、（ｂ）は閉蓋時の側面図である。
【発明を実施するための形態】
【００１３】
次に、本発明のヒンジキャップについて、実施例をあげ、図面を参照して説明する。
【実施例１】
【００１４】
図１、２において、Ａは容器口筒部に打栓されるキャップ本体、Ｂはキャップ本体ＡにヒンジＣを介して一体成形された上蓋である。
【００１５】
キャップ本体Ａは、係合筒部１と、該係合筒部１の内側に連設される注出筒２とからなっている。
【００１６】
係合筒部１は、リング状の上壁３と、上壁３の内周縁下面に垂設された内筒４と、上壁３の外周縁に連設された外筒５と、上壁３の上部全周にわたって立設され、上蓋Ｂと係合する蓋係合部６とからなっている。
【００１７】
外筒５の外周には、一定の間隔をおいて外周壁部７が連設されている。
外周壁部７の下端内周と外筒５の下端外周とは、ヒンジＣの反対側に設けられた連結片８と、間隔をおいて複数配設された破断可能な弱化片９とを介して連設されており、外周壁部７上端外周の所定位置にはヒンジＣが連設されている。
【００１８】
注出筒２は、係合筒部１の内筒４に連設されており、下端に底壁１０が設けられており、底壁１０には、注出口を開口するための薄肉の弱化部により区画された除去部１１が設けられており、該除去部１１には、支柱を介してプルリング１２が連設されている。
【００１９】
外筒５の内周には、容器の口筒部外周と係合する係合突条１３が設けられており、打栓時に、係合筒部１の内筒４外周と外筒５内周により、容器の口筒部を挟持するように、キャップ本体Ａを容器の口筒部に装着させる。
【００２０】
蓋係合部６は、外周面１４の上端部周縁に膨出部１５が突設され、上面１６のヒンジＣ側に、係合片１７が立設されている。
【００２１】
係合片１７は、ヒンジＣ側にヒンジの中心から両側に一定の幅を持って形成され、円弧状の上面１７ａと外側面１７ｂと、両端の外端面１７ｃとを具えている。
【００２２】
上蓋Ｂは、図１、２に示すように、頂壁２０と、頂壁２０の周縁に垂設され、外周下端の所定の位置にヒンジＣが連設された外周壁２１とを具えており、頂壁２０下面には、キャップ本体Ａの注出筒２の内周に挿入される密封リング２２が垂設されている。
外周壁２１の外周下端のヒンジＣの反対側には、つまみ２３が突設されている。
【００２３】
外周壁２１の内周には、下端部が全周にわたって拡径された係合部２４と、その他の内周面部２５と、内周面部２５のヒンジＣ側に設けられた案内部２６が形成されている。
【００２４】
係合部２４は、キャップ本体Ａの係合筒部１の蓋係合部６の膨出部１５外周と係合する側周面２４ａと、上面１６に係合する上面２４ｂが形成され、側周面２４ａの下端には、キャップ本体Ａの蓋係合部６の膨出部１５の下側に上側が係合する係合突部２７が設けられている。
【００２５】
案内部２６は、上面２４ｂの一部から切欠いて、係合片１７と係合する切欠け部２８と、内周面部２５の切欠け部２８の両側端に、内方に突出する案内片２９とからなっている。
【００２６】
切欠け部２８は、上面２８ａと、側周面２８ｂと、案内片２９の内方面から連なり、係合片１７の両端の外端面１７ｃと当接し、案内する案内面２８ｃとを具えている。
【００２７】
次に、本実施例のヒンジキャップの作用効果について説明する。
開蓋の状態から上蓋ＢをヒンジＣを支点として廻動させていくと、図３（ａ）に示すように、まず、上蓋Ｂの外周壁２１の案内部２６の二つの案内片２９の内方に、キャップ本体Ａの蓋係合部６の係合片１７が挿入され、係合片１７の両外端面１７ｃに両案内片２９の案内面２８ｃが当接しながら摺動し、案内される。
【００２８】
上蓋Ｂの廻動が進むと、案内部２６の切欠け部２８側の両案内面２８ｃに、係合片１７の両外端面１７ｃが摺動するとともに、キャップ本体Ａの注出筒２上部内方に、上蓋Ｂの密封リング２２先端が挿入され、注出筒２と密封リング２２が係合していく。
【００２９】
最後は、図３（ｂ）に示すように、切欠け部２８の側周面２８ｂと係合片１７の外側面１７ｂ、および上面２８ａと上面１７ａとが当接するとともに、キャップ本体Ａの蓋係合部６の外周と上蓋Ｂの係合部２４の側周面２４ａとが係合し、蓋係合部６の上面１６と係合部２４の上面２４ｂとが当接し、廻動が止められ、閉蓋されるとともに密封される。
【００３０】
本実施例のヒンジキャップは、上蓋Ｂの閉蓋の際に、上蓋Ｂの案内部２６の両案内片２９内方および切欠け部２８の案内面２８ｃが、キャップ本体Ａの蓋係合部６の係合片１７と係合し、閉蓋を途中から案内する。
閉蓋が案内されることで、閉蓋の廻動中に、上蓋Ｂがずれてしまうことを防止することができ、閉蓋を安定して行うことができる。
【００３１】
開蓋の際には、閉蓋時と反対に、上蓋Ｂの両方の案内片２９内方が、キャップ本体Ａの係合片１７と係合し、開蓋を途中まで案内することができる。
【００３２】
キャップの分別の際には、上蓋Ｂを持ち上げると、ヒンジＣを介して、キャップ本体Ａの外周壁部７の外筒５が引っ張られ、係合筒部１の外筒５と連設している弱化片９をヒンジＣ側から切断し、外筒５が連結片８のみで外筒５に連結されている状態となる。
さらに引っ張ると、連結片８を介して、外筒５のヒンジＣの反対側が引っ張られ、変形し、キャップ本体Ａと容器との係合が弱まり、最後は、ヒンジキャップを容器から外すことができる。
【実施例２】
【００３３】
次に、第１実施例のキャップ本体の蓋係合部および上蓋の外周壁の切欠け部の構成を変えた第２実施例について、説明する。
本実施例の第１実施例と同一の構成部分には、同一の符号をもって図示して説明を省略し、相違点を中心に説明する。
【００３４】
図４、５において、Ａａは容器に打栓されるキャップ本体、Ｂａはキャップ本体ＡａにヒンジＣを介して一体成形された上蓋である。
【００３５】
キャップ本体Ａａは、係合筒部１と、該係合筒部１の内側に連設される注出筒２とからなっている。
【００３６】
係合筒部１は、リング状の上壁３と、上壁３の上部全周にわたって立設され、上蓋Ｂａと係合する蓋係合部６とを具えている。
【００３７】
蓋係合部６の上面１６のヒンジＣ側には、ヒンジＣを中心から両側に一定の距離をおいて二つの係合片３０が立設されている。
【００３８】
両方の係合片３０は、円弧状の上面３０ａと外側面３０ｂと、ヒンジＣ側の内端面３０ｃと、反対側の外端面３０ｄとを具えている。
【００３９】
上蓋Ｂａは、頂壁２０と、頂壁２０の周縁に垂設され、外周下端の所定の位置にヒンジＣが連設された外周壁２１とを具えており、頂壁２０下面には、キャップ本体Ａａの注出筒２の内周に挿入される密封リング２２が垂設されている。
【００４０】
外周壁２１の内周には、下端部が全周にわたって拡径された係合部３５と、その他の内周面部２５と、内周面部２５のヒンジＣ側に設けられた案内部３６が形成されている。
【００４１】
係合部３５は、キャップ本体Ａａの蓋係合部６外周と係合する側周面３５ａと、上面１６に係合する上面３５ｂが形成されている。
【００４２】
案内部３６は、ヒンジＣを中心として内方に突設され、両側面がキャップ本体Ａａの蓋係合部６の両方の係合片３０の内端面３０ｃの間に挿入される案内突片３７と、案内突片３７の両側に、上面３５ｂの一部から上方に伸びるように切欠いて、二つの係合片３０のいずれかと係合する二つの切欠け部３８が設けられている。
【００４３】
両方の切欠け部３８は、上面３８ａと、側周面３８ｂと、内端の案内突片３７の両側面に連なる案内面３８ｃと、外端の係合片３０外端面３０ｄと係合する側端面３８ｄとを具えている。
【００４４】
次に、本実施例のヒンジキャップの作用効果について説明する。
開蓋の状態から上蓋ＢａをヒンジＣを支点として廻動させていくと、図６（ａ）に示すように、まず、上蓋Ｂａの外周壁２１の案内部３６の案内突片３７が、キャップ本体Ａａの蓋係合部６の両方の係合片３０の内端面３０ｃの間に挿入され、係合片３０の内端面３０ｃに案内突片３７の両方の案内面３８ｃが当接しながら摺動し、案内される。
【００４５】
上蓋Ｂａの廻動が進むと、案内突片３７が係合片３０の内端面３０ｃに案内され、キャップ本体Ａの注出筒２上部内方に、上蓋Ｂａの密封リング２２先端が挿入され、注出筒２と密封リング２２が係合していく。
【００４６】
最後は、図６（ｂ）に示すように、両方の切欠け部３８の側周面３８ｂと両方の係合片３０の外側面３０ｂ、上面３８ａと上面３０ａ、および側端面３８ｄと外端面３０ｄとが当接するとともに、キャップ本体Ａａの蓋係合部６の外周と上蓋Ｂａの係合部３５の側周面３５ａとが係合し、蓋係合部６の上面１６と係合部３５の上面３５ｂとが当接し、廻動が止められ、閉蓋されるとともに、密封される。
【００４７】
本実施例のヒンジキャップは、上蓋Ｂａの閉蓋の際に、上蓋Ｂａの案内部３６の案内突片３７が、キャップ本体Ａａの蓋係合部６の両方の係合片３０の内端面３０ｃの間に係合し、閉蓋を途中から案内する。
閉蓋が案内されることで、閉蓋の廻動中に、上蓋Ｂａがずれてしまうことを防止することができ、閉蓋を安定して行うことができる。
【００４８】
開蓋の際には、閉蓋時と反対に、上蓋Ｂａの案内突片３７が、キャップ本体Ａの両方の係合片３０の内端面３０ｃの間と係合し、開蓋を途中まで案内することができる。
【００４９】
上記各実施例では、キャップ本体の外周壁部を、係合筒部の外筒の外周に一定の間隔をもって連設し、上端外周の所定位置にヒンジを連設した二重筒形状にしたが、本発明は、上蓋の開閉の際に案内され、上蓋がずれることを防ぎ、ヒンジを痛めたりすることが防止できればよいので、外周壁部を外筒の上端外周の所定位置にヒンジを直接連設する一重筒形状のものでもよく、キャップ本体の係合筒部と外周壁部の形状は上記各実施例の形態に限定されない。
【産業上の利用可能性】
【００５０】
本発明は、ヒンジキャップにおいて、開閉の際に、案内され、上蓋がずれることを防ぎ、ヒンジを痛めたりすることを防ぐことができるので、各種の容器のヒンジキャップとして広く利用することができる。
【符号の説明】
【００５１】
Ａ、Ａａ    キャップ本体
Ｂ、Ｂａ    上蓋
Ｃ          ヒンジ
１          係合筒部
２          注出筒
３          上壁
４          内筒
５          外筒
６          蓋係合部
７          外周壁部
８          連結片
９          弱化片
１０        底壁
１１        除去部
１２        プルリング
１３        係合突条
１４        外周面
１５        膨出部
１６、１７ａ、３０ａ  上面
１７、３０  係合片
１７ｂ、３０ｂ  外側面
１７ｃ、３０ｄ  外端面
２０        頂壁
２１        外周壁
２２        密封リング
２３        つまみ
２４、３５  係合部
２４ａ、２８ｂ、３５ａ、３８ｂ  側周面
２４ｂ、２８ａ、３５ｂ、３８ａ  上面
２５          内周面部
２６、３６    案内部  
２７          係合突部
２８、３８    切欠け部
２８ｃ、３８ｃ  案内面
２９          案内片
３０ｃ        内端面
３７          案内突片
３８ｄ        側端面
【図１】
0005900870.tif 000002
【図２】
0005900870.tif 000003
【図３】
0005900870.tif 000004
【図４】
0005900870.tif 000005
【図５】
0005900870.tif 000006
【図６】
0005900870.tif 000007